(57)【要約】【課題】生産性および耐久性に優れたランフラットタイヤを提供することと、生産性およびユニフォミティに優れたランフラットタイヤの製造方法を提供すること。【解決手段】一対のビード部１と、ビード部１から各々タイヤ径方向外側に延びるサイドウォール部２と、ビード部１間に架け渡され、ビード１ａにて巻き上げられたカーカスプライ１４からなるカーカス層４と、サイドウォール部２に配された補強ゴム層９と、少なくとも一方のビード部１よりタイヤ幅方向外側に膨出して、環状のビード１ｂを有する環状膨出部１０とを備えるランフラットタイヤにおいて、ビード部１から環状膨出部１０に向けて配設され、ビードフィラー１２と一体化された環状ゴム体１３を備えるとともに、巻き上げたカーカスプライ１４の端部１５を、ビード１ａのタイヤ外周側端を基準としたビード１ｂのタイヤ内周側端までのタイヤ径方向高さｈの９５％以下の位置に配した。【選択図】図１
2006103458.tif 000002
【特許請求の範囲】
【請求項１】
環状の第１ビードおよび前記第１ビードのタイヤ外周に配されるビードフィラーを有する一対のビード部と、そのビード部から各々タイヤ径方向外側に延びるサイドウォール部と、前記ビード部間に架け渡され、前記第１ビードにて巻き上げられたカーカスプライからなるカーカス層と、前記サイドウォール部に配された補強ゴム層と、少なくとも一方の前記ビード部よりタイヤ幅方向外側に膨出して、環状の第２ビードを有する環状膨出部と、を備えるランフラットタイヤにおいて、
前記ビード部から前記環状膨出部に向けて配設され、前記ビードフィラーと一体化された環状ゴム体を備えるとともに、前記巻き上げたカーカスプライの端部を、前記第１ビードのタイヤ外周側端を基準とした前記第２ビードのタイヤ内周側端までのタイヤ径方向高さの９５％以下の位置に配したことを特徴とするランフラットタイヤ。
【請求項２】
前記ビードフィラーと前記環状ゴム体とが一体化された部材に、前記第１ビードおよび前記第２ビードの少なくとも一方が一体化された請求項１記載のランフラットタイヤ。
【請求項３】
円筒型上の被形成面の外周側に所定の部材を配設して、環状の第１ビードおよび前記第１ビードのタイヤ外周に配されるビードフィラーを有するビード部と、そのビード部のタイヤ幅方向外側に膨出し、環状の第２ビードを有する環状膨出部とを形成する工程を備えるランフラットタイヤの製造方法において、
前記被形成面の外周側にリムストリップゴムをタイヤ周方向に沿って配設する工程と、
カーカスプライを前記被形成面の外周側に配設するとともに、そのカーカスプライの端部近傍部分を前記リムストリップゴムの外周側に配する工程と、
前記カーカスプライの端部近傍部分の外周側に前記第１ビードを配設し、その第１ビードを介した前記被形成面の外周側に前記ビードフィラーを配設するとともに、そのビードフィラーのタイヤ幅方向外側に、そのビードフィラーと一体化した環状ゴム体と、前記第２ビードとを配設する工程と、
前記第１ビードにて前記カーカスプライの端部近傍部分および前記リムストリップゴムを巻き上げる工程と、を備えることを特徴とするランフラットタイヤの製造方法。
【請求項４】
前記カーカスプライの端部近傍部分を前記リムストリップゴムの外周側に配する際、前記巻き上げたカーカスプライの端部が、前記第１ビードのタイヤ外周側端を基準とした前記第２ビードのタイヤ内周側端までのタイヤ径方向高さの９５％以下の位置に配されるように、その端部の位置を調整する請求項３記載のランフラットタイヤの製造方法。
【請求項５】
前記ビードフィラーと前記環状ゴム体とが一体化された部材に、前記第１ビードおよび前記第２ビードの少なくとも一方が一体化された請求項３又は４記載のランフラットタイヤの製造方法。
【発明の詳細な説明】
【技術分野】
【０００１】
本発明は、ランフラットタイヤと、そのランフラットタイヤの製造方法に関するものである。
【背景技術】
【０００２】
ランフラットタイヤとは、パンク等の障害によりタイヤ内部の空気圧が低下した場合であっても、ある程度の距離を安全に走行することができるタイヤを言う。このようなランフラット走行を可能にするためのタイヤ構造の１つとして、サイドウォール部に補強ゴム層を備えたランフラットタイヤが知られている。係るランフラットタイヤによれば、タイヤ内部の空気圧が低下した際、補強ゴム層がタイヤを支持して完全に偏平化することを防止し、ランフラット走行が可能となる。
【０００３】
ところが、タイヤ内部の空気圧が低下した状態では、ビード部のリムへの押圧が弱まっているため、リムとの嵌合力が低下し、ビード部がリムから外れ易くなるという問題があった。そのため、リムのビードシート部外周側に配されるビードとは別に、ビード部のタイヤ幅方向外側に膨出した環状膨出部にビードを配した、いわゆるダブルビードタイプのランフラットタイヤが提案されている（下記特許文献１〜３参照）。係る構造によれば、ビードにより高弾性を有する環状膨出部が、ランフラット走行時にリムフランジを抱持してリム外れを防止しうる。
【０００４】
図４は、従来のダブルビードタイプのランフラットタイヤを示すタイヤ子午線断面図である。ビード部１には、ビード１ａおよびビードフィラー１２が設けられ、それらを挟み込むようにカーカスプライ１４が内側から外側に巻き上げられる。サイドウォール部２には、外側にサイドウォールゴム１１が配されるとともに、内側に断面略三日月状をなす補強ゴム層９が配される。環状膨出部１０は、ビード部１のタイヤ幅方向外側に膨出して形成され、環状のビード１ｂを有する。また、補強層１６は、環状膨出部１０の内周面に沿って配され、リムストリップゴム１７は、リム８に直接接触する部分に配される。
【０００５】
係るランフラットタイヤにおいては、環状膨出部１０が多数のゴム部材を貼り合わせて構成されているため、製造工程が煩雑となり、生産性が低下するという問題があった。また、ランフラット走行時において、リムフランジ８ａから環状膨出部１０に作用する応力に伴って、ビード１ｂからタイヤ径方向外側に向かう応力が発生し、カーカスプライ１４の巻き上げ端部１５に歪みが集中して耐久性を悪化させるという問題があった。特に、カーカスプライ１４の巻き上げ端部１５が、補強ゴム層９の最大屈曲部Ｂの近傍に配されていると、ランフラット走行時に補強ゴム層９が屈曲する際、巻き上げ端部１５に応力が集中して、クラックが発生し易くなる傾向にあった。
【０００６】
一方、上記のようなランフラットタイヤは、以下の製造工程を経て製造していた。即ち、図５の（ａ）〜（ｃ）に順次示すように、まず、成形ドラムの外周面を被形成面２０として、その外周側に補強ゴム層９となる補強ゴム部材１８、インナーライナー層５となるインナーライナーゴム１９、リムストリップゴム１７およびサイドウォールゴム１１をそれぞれ配設する。更に、その外周側にカーカスプライ１４を配設し、所定の位置にビード１ａおよびビードフィラー１２を外挿する。続いて、シェーピング又はブラダー等の拡径機構により中央部（図５において左側）を膨らませる。そして、カーカスプライ１４を巻き上げ、ビード１ａおよびビードフィラー１２を挟み込むように配設する。巻き上げたカーカスプライ１４の外側に、環状膨出部１０を構成するゴム部材２２、ビード１ｂを配設し、更にリムストリップゴム１７およびサイドウォールゴム１１を巻き上げる。その後、トレッド部３を形成して加硫工程に移行する。
【０００７】
以上のように、係るランフラットタイヤの製造方法は、ビード部１および環状膨出部１０の形成に多くの工数および部品点数を必要とし、生産性を悪化させていた。また、多数の部材を貼り合わせることによって、成形品に製造ばらつきが生じるため、タイヤのユニフォミティが低下する傾向にあった。
【特許文献１】特開昭５１−１１６５０７号公報
【特許文献２】特開昭５３−１３８１０６号公報
【特許文献３】特開２００２−１７８７２５号公報
【発明の開示】
【発明が解決しようとする課題】
【０００８】
そこで、本発明の目的は、生産性および耐久性に優れたランフラットタイヤを提供することと、生産性およびユニフォミティに優れたランフラットタイヤの製造方法を提供することにある。
【課題を解決するための手段】
【０００９】
上記目的は、下記の如き本発明により達成できる。即ち、本発明のランフラットタイヤは、環状の第１ビードおよび前記第１ビードのタイヤ外周に配されるビードフィラーを有する一対のビード部と、そのビード部から各々タイヤ径方向外側に延びるサイドウォール部と、前記ビード部間に架け渡され、前記第１ビードにて巻き上げられたカーカスプライからなるカーカス層と、前記サイドウォール部に配された補強ゴム層と、少なくとも一方の前記ビード部よりタイヤ幅方向外側に膨出して、環状の第２ビードを有する環状膨出部と、を備えるランフラットタイヤにおいて、前記ビード部から前記環状膨出部に向けて配設され、前記ビードフィラーと一体化された環状ゴム体を備えるとともに、前記巻き上げたカーカスプライの端部を、前記第１ビードのタイヤ外周側端を基準とした前記第２ビードのタイヤ内周側端までのタイヤ径方向高さの９５％以下の位置に配したものである。
【００１０】
本発明に係るランフラットタイヤによれば、ビード部から環状膨出部に向けて配設され、ビードフィラーと一体化された環状ゴム体を備えることにより、環状膨出部の形成が簡略化できて生産性が良好になるとともに、走行中にリムフランジから繰り返し伝達される衝撃に対しても、セパレーションの発生を抑制して耐久性を確保することができる。更に、巻き上げたカーカスプライの端部（以下、巻き上げ端部と称することがある。）を、第１ビードのタイヤ外周側端を基準とした第２ビードのタイヤ内周側端までの高さの９５％以下の位置に配することによって、巻き上げ端部が、第２ビードからタイヤ径方向外側に向かう応力や補強ゴム層の屈曲の影響を受け難くなる。その結果、巻き上げ端部への歪みの集中を防ぎ、耐久性をより効果的に向上することができる。また、カーカスプライの巻き上げ高さを従来よりも低く設定することにより、乗心地性能が向上するとともに、タイヤの軽量化が図れる。
【００１１】
上記において、前記ビードフィラーと前記環状ゴム体とが一体化された部材に、前記第１ビードおよび前記第２ビードの少なくとも一方が一体化されたものが好ましい。
【００１２】
上記構成によれば、ビード部または環状膨出部の形成に要する工数および部品点数を低減することができ、作業を簡略化して生産性をより向上することができる。
【００１３】
また、本発明のランフラットタイヤの製造方法は、円筒型上の被形成面の外周側に所定の部材を配設して、環状の第１ビードおよび前記第１ビードのタイヤ外周に配されるビードフィラーを有するビード部と、そのビード部のタイヤ幅方向外側に膨出し、環状の第２ビードを有する環状膨出部とを形成する工程を備えるランフラットタイヤの製造方法において、前記被形成面の外周側にリムストリップゴムをタイヤ周方向に沿って配設する工程と、カーカスプライを前記被形成面の外周側に配設するとともに、そのカーカスプライの端部近傍部分を前記リムストリップゴムの外周側に配する工程と、前記カーカスプライの端部近傍部分の外周側に前記第１ビードを配設し、その第１ビードを介した前記被形成面の外周側に前記ビードフィラーを配設するとともに、そのビードフィラーのタイヤ幅方向外側に、そのビードフィラーと一体化した環状ゴム体と、前記第２ビードとを配設する工程と、前記第１ビードにて前記カーカスプライの端部近傍部分および前記リムストリップゴムを巻き上げる工程と、を備えることを特徴とする。
【００１４】
本発明のランフラットタイヤの製造方法によれば、ビード部および環状膨出部を構成する部材を所定の位置に配設した状態で、カーカスプライの端部近傍部分およびリムストリップを巻き上げる構成であるため、従来に比べて工数が低減し、ビード部および環状膨出部の形成を簡略化して生産性を向上することができる。しかも、多数の部材を貼り合わせる製造方法に比べて、製造ばらつきが小さくなり、ユニフォミティが良好となる。また、環状膨出部を構成する環状ゴム体が、ビードフィラーと一体化されていることにより、環状膨出部の形成をより簡略化できるとともに、部品点数を低減することができる。
【００１５】
上記において、前記カーカスプライの端部近傍部分を前記リムストリップゴムの外周側に配する際、前記巻き上げたカーカスプライの端部が、前記第１ビードのタイヤ外周側端を基準とした前記第２ビードのタイヤ内周側端までのタイヤ径方向高さの９５％以下の位置に配されるように、その端部の位置を調整するものが好ましい。
【００１６】
上記構成により、カーカスプライの巻き上げ端部が、第２ビードからタイヤ径方向外側に向かう応力や補強ゴム層の屈曲の影響を受け難くなり、巻き上げ端部への歪みの集中を抑制して、耐久性を向上することができる。
【００１７】
上記において、前記ビードフィラーと前記環状ゴム体とが一体化された部材に、前記第１ビードおよび前記第２ビードの少なくとも一方が一体化されたものが好ましい。
【００１８】
上記構成によれば、ビード部または環状膨出部の形成に要する工数および部品点数を効果的に低減することができ、作業を簡略化して生産性をより向上することができる。
【発明を実施するための最良の形態】
【００１９】
以下、本発明の実施の形態について、図面を参照しながら説明する。
【００２０】
［ランフラットタイヤの構成］
図１は、本発明に係るランフラットタイヤの一例を示すタイヤ子午線断面図である。図１に示すランフラットタイヤは、一対のビード部１と、ビード部１から各々タイヤ径方向外側に延びるサイドウォール部２と、サイドウォール部２間に設けられたトレッド部３とを備える。ビード部１には、ビードワイヤの収束体がタイヤ周方向に環状をなすビード１ａ（前記第１ビードに相当する。）が配されるとともに、ビード１ａのタイヤ外周には、断面がタイヤ径方向に延びる三角形状をなすビードフィラー１２が配される。また、リム８に直接接触する部分には、耐摩耗性に優れたリムストリップゴム１７が配される。
【００２１】
カーカス層４は、コードをタイヤ赤道線Ｃに対して略９０°の角度で平行配列したカーカスプライ１４からなり、一対のビード部１の間に架け渡されるように配される。カーカス層４の内周側には、空気圧保持のためのインナーライナー層５が配され、カーカス層４の外周側には、たが効果による補強を行うためのベルト層６およびベルト補強層７が配される。ベルト層６は、コードをタイヤ赤道線Ｃに対して所定の角度で平行配列したベルトプライから構成される。
【００２２】
なお、ビードワイヤとしては鋼線等が使用され、カーカス層４やベルト層６を構成するコードとしては、スチールや、ポリエステル、レーヨン、ナイロン、アラミド等の有機繊維等が使用される。これらのコードは、いずれもゴムとの接着性を高めるべく、通常、表面処理や接着処理等がなされている。
【００２３】
サイドウォール部２には、外側にサイドウォールゴム１１が配されるとともに、内側に断面略三日月状をなす補強ゴム層９が配される。これにより、タイヤ内部の空気圧が低下した際、タイヤの撓み変形が抑制され、ランフラット走行が可能となる。補強ゴム層９は、例えば、ゴム硬度（ＪＩＳＫ６２５３のタイプＡデュロメータ硬さ試験に準じて測定したゴム硬度、以下同じ。）が６５〜９０゜のゴム層により構成される。なお、本発明のランフラットタイヤが備える補強ゴム層９は、従来のサイド補強タイプのランフラットタイヤに用いられる補強ゴム層であれば、硬さや厚みなど特に制限されることなく何れも適用することができる。補強ゴム層９は、単一のゴム層からなるものに限られず、硬さ等の物性の異なる複数のゴム層から構成されるものでもよい。
【００２４】
環状膨出部１０は、ビード部１のタイヤ幅方向外側に膨出して形成される。本実施形態の環状膨出部１０は、リムフランジ８ａよりもタイヤ幅方向外側に膨出するとともに、リムフランジ８ａの外周側湾曲面に沿った内周面を有する。これにより、環状膨出部１０がリムフランジ８ａを効果的に抱持して、リム外れを防止し得る。環状膨出部１０は、両側のビード部１にそれぞれ形成されていることが好ましいが、少なくとも一方のビード部１に形成されていればよく、例えば装着時に車両外側となる側にのみ形成するものでも構わない。
【００２５】
本発明のランフラットタイヤは、ビード部１から環状膨出部１０に向けて配設された環状ゴム体１３を備える。環状ゴム体１３は、例えば、ゴム硬度が４０〜７５゜であり、リム８から反復して伝達される衝撃に耐え得る十分な剛性および耐クラック性を有するものが好ましい。環状ゴム体１３は、ビードフィラー１２のタイヤ幅方向外側に配されるとともに、ビードフィラー１２と一体化されている。かかる一体化された部材は、例えば多層押出機を用いて各ゴム材を接合しながら押出成形することにより形成することができる。
【００２６】
環状膨出部１０には、ビードワイヤがタイヤ周方向に環状をなすビード１ｂ（前記第２ビードに相当する。）が配される。本実施形態のビード１ｂは、リム装着時に、その中心位置がリムフランジ８ａの最外径点よりタイヤ外周側かつタイヤ幅方向外側に位置するように配されている。なお、本発明において、ビード１ｂの配設位置は特に限定されるものではない。また、ビード１ｂは、ビード１ａと同じビードワイヤの収束体からなるものに限られず、例えば、有機繊維の収束体からなるものや、繊維強化ゴムを素材としたゴムビード等であってもよい。
【００２７】
補強層１６は、環状膨出部１０の内周面に略沿って配設されており、これによって環状膨出部１０の内周面を補強して摩滅を抑制することができる。補強層１６としては、スチールコードや、レーヨン、ナイロン、ポリエステル、アラミド等の有機繊維から構成されるチェーファが例示される。本実施形態では、補強層１６のタイヤ内周側端が、ビード１ａのタイヤ幅方向外側にて係止された例を示しているが、補強層１６はビード１ａにて内側から外側に巻き上げられるものでも構わない。
【００２８】
図２は、本発明のランフラットタイヤのビード部の一例を模式的に示した要部断面図である。カーカスプライ１４は、ビード１ａにて内側から外側に巻き上げられ、環状ゴム体１３の内周面に沿って配されている。カーカスプライ１４の巻き上げ端部１５は、少なくともビード１ａのタイヤ外周側端よりタイヤ径方向外側に配される。本発明では、ビード１ａのタイヤ外周側端を基準としたビード１ｂのタイヤ内周側端までのタイヤ径方向高さをｈとするとき、ビード１ａのタイヤ外周側端を基準とした巻き上げ端部１５のタイヤ径方向高さｐが、高さｈの９５％以下となるように設定されている。高さｐが高さｈの９５％を超えると、巻き上げ端部１５がビード１ｂからタイヤ径方向外側に向かう応力の影響を受け易くなり、巻き上げ端部１５に歪みが集中して耐久性が低下する傾向にある。なお、本発明では、高さｐが高さｈの８５％以下であることがより好ましい。
【００２９】
本発明では、ビードフィラー１２と環状ゴム体１３とが一体化された部材に、ビード１ａおよびビード１ｂの少なくとも一方が一体化されたものが好ましい。ここで、図２は、ビード１ａおよびビード１ｂの両方が一体化された例を示す。これにより、ビード部１および環状膨出部１０の形成に要する工数および部品点数を大幅に低減することができ、作業を簡略化して生産性を向上することができる。かかる一体化された部材は、例えば、上述したビードフィラー１２と環状ゴム体１３とが一体化された部材に対して、ビード１ａまたはビード１ｂを接着することにより形成することができる。
【００３０】
本発明のランフラットタイヤは、ビード部１および環状膨出部１０を上記構成とする点を除けば、従来のダブルビードタイプのランフラットタイヤと同様の構造である。
【００３１】
［ランフラットタイヤの製造方法］
以下、本発明のランフラットタイヤの製造方法について説明する。図３は、本発明のランフラットタイヤの製造方法を説明する模式図であり、被形成面に対する各部材の配設状態を（ａ）〜（ｃ）に順次示したものである。まず、円筒状の成形ドラムを準備し、その外周面を被形成面２０とする。この成形ドラムは、中央部（図３において左側）にブラダーと呼ばれるゴムバッグを備えている。また、必要に応じて、カーカスプライ等を巻き上げるためのブラダーも備える。なお、ブラダーに代えて、同様の機能を有する従来公知の縮径・拡径機構を採用しても構わない。
【００３２】
次に、被形成面２０の外周側に、補強ゴム層９となる補強ゴム部材１８、およびインナーライナー層５となるインナーライナーゴム１９を順次貼り付けて積層する。続いて、インナーライナーゴム１９の幅方向外側に、リムストリップゴム１７を配設する。リムストリップゴム１７は、インナーライナーゴム１９と端面を突き合わせて、または端部が重なるように配される。
【００３３】
リムストリップゴム１７の幅方向外側には、サイドウォールゴム１１を配設することが好ましい。サイドウォールゴム１１は、リムストリップゴム１７と端面を突き合わせて、または端部が重なるように配される。また、リムストリップゴム１７の外周側の所定の位置には、補強層１６を配設することが好ましい。補強層１６としては、上述のものが例示される。
【００３４】
次に、カーカスプライ１４を被形成面２０の外周側に配設する。その際、カーカスプライ１４の幅方向端部より所定の幅寸法を有する端部近傍部分１４ａを、リムストリップゴム１７の外周側に配する。更に、本発明では、カーカスプライ１４を巻き上げた状態において、カーカスプライ１４の端部１５が、ビード１ａのタイヤ外周側端を基準としたビード１ｂのタイヤ内周側端までのタイヤ径方向高さの９５％以下の位置に配されるように、端部１５の位置を調整することが好ましい。
【００３５】
続いて、カーカスプライ１４の端部近傍部分１４ａの外周側に、環状のビード１ａを外挿し、そのビード１ａを介した被形成面の外周側にビードフィラー１２を配設するとともに、そのビードフィラー１２のタイヤ幅方向外側に、そのビードフィラー１２と一体化した環状ゴム体１３と、ビード１ｂとを配設する。これらの部材は、予め環状型（不図示）に内接させて配設しておき、その環状型とともにカーカスプライ１４の端部近傍部分１４ａに外挿することにより、上記配設作業を簡便に行うことができる。かかる環状型は、後述する巻き上げ工程前に除去される。本発明は、ビードフィラー１２と環状ゴム体１３とが一体化された部材に、ビード１ａおよびビード１ｂの少なくとも一方が一体化されたものが好ましく、図３は、ビード１ａおよびビード１ｂの両方が一体化された例を示している。
【００３６】
その後、成形ドラムの中央部に設けられたブラダーを膨らませて、得られた成形物の幅方向中央部（図３において左側）をトロイド状に変形させる。このとき、成形ドラムの外周面に埋設された不図示のビードロック機構により、リムストリップゴム１７およびカーカスプライ１４等を介して、ビード１ａを内周側よりクランプすることが好ましい。これにより、上記の変形を精度良く行うことができる。
【００３７】
また、ビード１ａにてカーカスプライ１４の端部近傍部分１４ａおよびリムストリップゴム１７を巻き上げ、それと共に補強層１６およびサイドウォールゴム１１を巻き上げる。かかる巻き上げ作業は、手作業で個別に又は一括に行ってもよいが、ブラダーに内圧をかけることにより、各部材を一括して容易に巻き上げることができる。
【００３８】
カーカスプライ１４の端部近傍部分１４ａ、補強層１６およびリムストリップゴム１７は、環状ゴム体１３の内周面に沿って配され、環状膨出部１０の内周面を構成する。このとき、カーカスプライ１４の端部１５が、ビード１ａのタイヤ外周側端を基準としたビード１ｂのタイヤ内周側端までのタイヤ径方向高さの９５％以下の位置に配されることが好ましい。また、サイドウォールゴム１１は、環状ゴム体１３の外側に沿って、環状膨出部１０からサイドウォール部２に向けて配される。
【００３９】
その後、当該成形体のタイヤ外周側にベルト層６およびベルト補強層７を形成し、更にその外周側にトレッドゴムを配してトレッド部３を形成する。
【００４０】
［別実施形態］
（１）前述の実施形態では、カーカス層４が１枚のカーカスプライ１４により構成される例を示したが、本発明では、カーカス層が複数枚のカーカスプライにより構成されるものでもよい。かかる場合、カーカス層４を構成する全てのカーカスプライの巻き上げ端部の高さｐを、高さｈの９５％以下となるように配するものが好ましい。
【００４１】
（２）本発明のランフラットタイヤは、ビードフィラー１２と環状ゴム体１３とが一体化された単一のゴム層を備えるものでもよい。かかる単一のゴム層のゴム硬度は、４０〜  ７５゜であるものが好ましい。上記構成によれば、環状膨出部１０の形成がより簡略化され、生産性を効果的に向上することができる。
【００４２】
（３）環状膨出部１０、環状ゴム体１３およびビードフィラー１２の断面形状は、前述の実施形態で示した形状に限られるものではない。
【００４３】
（４）前述の実施形態では、ブラダーを用いて成形物の中央部を膨らませる例を示したが、これに代えて、例えばビードロック機構により両側のビード１ａを固定し、それらを中央部に寄せながら中央内部に空気を入れることで、シェーピングにより膨らませるものでもよい。
【実施例】
【００４４】
以下、本発明の構成と効果を具体的に示す実施例等について説明する。なお、実施例等における評価項目は下記のようにして測定を行った。
【００４５】
（１）生産性
タイヤ成形に要した時間を計測し、生産性を評価した。従来例を１００として指数評価し、数値が大きいほど成形時間が長い、即ち生産性に優れていることを示す。
【００４６】
（２）ユニフォミティ
ＪＩＳＤ４２３３に規定する試験方法に基づいて、ＲＦＶ（ラジアルフォースバリエーション）を測定し、タイヤのユニフォミティを評価した。具体的には、所定荷重が負荷されるようにタイヤを回転ドラムに押し付け、両軸間隔を一定に保持しながらタイヤを回転させたときに発生する半径方向の反力の変動量を測定した。サンプル数は３６とし、その平均値により評価した。従来例の結果を１００として指数評価し、指数が小さいほど変動量が小さい、即ちユニフォミティに優れていることを示す。
【００４７】
（３）耐久性試験
ＪＩＳＤ４２３０に規定する方法により耐久性試験を行った。試験段階３を終えてもクラック等が確認されない場合は、継続してタイヤに速度および負荷を与えることとし、不具合が確認されるまでの試験時間を測定した。試験では、タイヤをサイズ１８×８Ｊのリムに装着し、タイヤ内圧を０ｋＰａのランフラット状態として行った。従来例１を１００として指数評価し、当該数値が大きいほど試験時間が長い、即ち耐久性に優れていることを示す。
【００４８】
従来例
図４に示す構造のランフラットタイヤ（サイズ２４５／４０Ｒ１８）を、従来の製造方法により作製した。即ち、図５に示すように、ビード１ａおよびビードフィラー１２を挟み込むようにカーカスプライ１４を巻き上げ、その外周側にゴム部材２２や補強層１６、ビード１ｂ等の多数の部材を貼り付けることにより、ビード部１および環状膨出部１０を形成した。
【００４９】
実施例
図１、２に示す構造のランフラットタイヤ（サイズサイズ２４５／４０Ｒ１８）を、本発明の製造方法により作製した。即ち、図３に示すように、ビード１ａ、ビードフィラー１２、環状ゴム体１３およびビード１ｂを一体化した部材を、カーカスプライ１４の端部近傍部分１４ａの外周側に配設し、ビード１ａにてカーカスプライ１４の端部近傍部分１４ａおよびリムストリップゴム１７等を一括して巻き上げることにより、ビード部１および環状膨出部１０を形成した。結果を表１に示す。
【００５０】
【表１】
2006103458.tif 000003
表１の結果が示すように、実施例は、部品点数および工数が比較的少なく、ビード部および環状膨出部の形成が容易であることにより、従来例よりも生産性に優れていることがわかる。また、多数の部材を貼り付けて作製した従来例と比べて、ユニフォミティに優れていることがわかる。更に、ビードフィラーと環状ゴム体とを一体化しつつ、巻き上げ端部を所定の高さとすることにより、従来例よりも耐久性に優れていることが分かる。
【図面の簡単な説明】
【００５１】
【図１】本発明に係るランフラットタイヤの一例を示すタイヤ子午線断面図
【図２】本発明に係るランフラットタイヤのビード部の一例を模式的に示した要部断面図
【図３】本発明のランフラットタイヤの製造方法を説明する断面模式図
【図４】従来のランフラットタイヤの一例を示すタイヤ子午線断面図
【図５】従来のランフラットタイヤの製造方法を説明する断面模式図
【符号の説明】
【００５２】
１    ビード部
１ａ  ビード
１ｂ  ビード
２    サイドウォール部
４    カーカス層
８    リム
８ａ  リムフランジ
９    補強ゴム層
１０  環状膨出部
１１  サイドウォールゴム
１２  ビードフィラー
１３  環状ゴム体
１４  カーカスプライ
１４ａ  端部近傍部分
１５  カーカスプライの端部
１６  補強層
１７  リムストリップゴム
Ｃ    タイヤ赤道線
ｈ    ビード１ａのタイヤ外周側端を基準としたビード１ｂのタイヤ内周側端までのタイヤ径方向高さ
ｐ    ビード１ａのタイヤ外周側端を基準としたカーカスプライの端部のタイヤ径方向高さ
【図１】
2006103458.tif 000004
【図２】
2006103458.tif 000005
【図３】
2006103458.tif 000006
【図４】
2006103458.tif 000007
【図５】
2006103458.tif 000008